(57)【特許請求の範囲】
【請求項１】
携帯電話基地局を収容する構内交換機であって、
自構内交換機が収容する前記携帯電話基地局に接続するための基地局接続手段と、
固定電話網に接続するための固定電話網接続手段と、
携帯電話網側の前記携帯電話基地局を介さずに当該携帯電話網に接続するための携帯電話網接続手段と、
前記基地局接続手段、前記固定電話網接続手段、および前記携帯電話網接続手段間でデータを中継するデータ中継手段と、
携帯端末から、自構内交換機が収容する前記携帯電話基地局を介して前記基地局接続手段に到着した接続要求メッセージの接続先番号に基づいて、前記基地局接続手段、前記固定電話網接続手段、および前記携帯電話網接続手段の何れかを中継先の接続手段に選定し、当該接続要求メッセージが、当該選定された中継先の接続手段へ中継されるように、前記データ中継手段を制御する発信制御手段と、を有する
ことを特徴とする構内交換機。
【請求項２】
請求項１に記載の構内交換機であって、
前記発信制御手段は、
前記基地局接続手段に到着した接続要求メッセージの接続先番号が、前記携帯電話基地局の配下の携帯端末の携帯電話番号であるならば、当該接続要求メッセージが前記基地局接続手段に中継されるように、前記データ中継手段を制御し、前記携帯電話基地局の配下の携帯端末の携帯電話番号以外の携帯電話番号であるならば、当該接続要求メッセージが前記携帯電話網接続手段に中継されるように、前記データ中継手段を制御し、携帯電話番号以外の外線番号であるならば、当該接続要求メッセージが前記固定電話網接続手段に中継されるように、前記データ中継手段を制御する
ことを特徴とする構内交換機。
【請求項３】
請求項１又は２に記載の構内交換機であって、
前記発信制御手段は、
前記選定された中継先の接続手段が前記固定電話網接続手段ならば、前記基地局接続手段に到着した接続要求メッセージの接続元番号を自構内交換機の電話番号に変更し、前記選定された中継先の接続手段が前記固定電話網接続手段以外ならば、前記基地局接続手段に到着した接続要求メッセージの接続元番号を自構内交換機の電話番号に変更することなく、当該接続要求メッセージが、当該選定された中継先の接続手段へ中継されるように、前記データ中継手段を制御する
ことを特徴とする構内交換機。
【請求項４】
請求項１乃至３のいずれか一項に記載の構内交換機であって、
内線端末を接続する内線端末接続手段と、
前記固定電話網接続手段あるいは前記携帯電話網接続手段に到着した接続要求メッセージの接続先番号に基づいて、前記基地局接続手段あるいは前記内線端末接続手段を中継先の接続手段に選定し、当該接続要求メッセージが、当該選定された中継先の接続手段へ中継されるように、前記データ中継手段を制御する着信制御手段をさらに有する
ことを特徴とする構内交換機。
【請求項５】
請求項４に記載の構内交換機であって、
前記着信制御手段は、
前記固定電話網接続手段に到着した接続要求メッセージの接続先番号が自構内交換機の電話番号である場合において、前記携帯電話基地局の配下の携帯端末の携帯電話番号がダイヤルイン番号として付加されていないならば、当該接続要求メッセージが前記内線端末接続手段に中継されるように、前記データ中継手段を制御し、前記携帯電話基地局の配下の携帯端末の携帯電話番号がダイヤルイン番号として付加されているならば、当該接続要求メッセージが前記基地局接続手段に中継されるように、前記データ中継手段を制御する
ことを特徴とする構内交換機。
【請求項６】
請求項４又は５に記載の構内交換機であって、
転送対象に設定された自構内交換機の電話番号あるいは前記携帯電話基地局の配下の携帯端末の携帯電話番号を、転送先の電話番号に対応付けて記憶する転送設定記憶手段をさらに有し、
前記着信制御手段は、
前記固定電話網接続手段あるいは前記携帯電話網接続手段に到着した接続要求メッセージの接続先番号が転送対象の電話番号として前記転送設定記憶手段に記憶されている場合に、当該転送対象の電話番号に対応付けられて前記転送設定記憶手段に記憶されている前記転送先の電話番号へ当該接続要求メッセージを転送する
ことを特徴とする構内交換機。
【請求項７】
請求項４乃至６の何れか一項に記載の構内交換機であって、
前記固定電話網用の通話データおよび前記携帯電話網用の通話データ間の変換を行う通話データ変換手段をさらに有し、
前記データ中継手段は、
前記固定電話網接続手段あるいは前記内線端末接続手段に到着した前記固定電話網用の通話データを前記携帯電話網接続手段あるいは前記基地局接続手段に中継する場合に、前記通話データ変換手段により当該通話データを前記携帯電話網用の通話データに変換してから中継し、前記携帯電話網接続手段あるいは前記基地局接続手段に到着した前記携帯電話網用の通話データを前記固定電話網接続手段あるいは前記内線端末接続手段に中継する場合に、前記通話データ変換手段により当該通話データを前記固定電話網用の通話データに変換してから中継する
ことを特徴とする構内交換機。
【発明の詳細な説明】
【技術分野】
【０００１】
本発明は、構内交換機に関し、特に、構内交換機による接続要求メッセージの中継技術に関する。
【背景技術】
【０００２】
固定電話網および携帯電話網を組み合わせた電話サービスとして、ＦＭＣ（Ｆｉｘｅｄ  Ｍｏｂｉｌｅ  Ｃｏｎｖｅｒｇｅｎｃｅ）が知られている（例えば特許文献１、特許文献２を参照）。ＦＭＣにおいて、携帯端末が、構内交換機に収容された小型基地局のエリア（自営網）に進入すると、構内交換機は、この携帯端末に内線番号を付与し、この携帯端末を内線端末として扱う。これにより、携帯端末は、自営網に進入することにより、構内交換機を介して、携帯電話網を経由することなく固定電話網へ発信することが可能となる。
【特許文献１】特開２００６−１２９１５８号公報
【特許文献２】特開２００３−２９９１５７号公報
【発明の開示】
【発明が解決しようとする課題】
【０００３】
このように、従来のＦＭＣにおいて、自営網内の携帯端末は、構内交換機経由で固定電話網へ発信する。このため、接続先の電話番号によっては、通話料金が携帯電話の通常料金よりも高くなる場合がある。
【０００４】
本発明は上記事情に鑑みてなされたものであり、本発明の目的は、ＦＭＣにおいて、より安い料金で通話相手に通話することが可能な技術を提供する。
【課題を解決するための手段】
【０００５】
上記課題を解決するために、本発明では、携帯電話基地局を収容する構内交換機が、携帯電話機基地局の配下の携帯端末から接続要求メッセージを受信した場合に、この接続要求メッセージの接続先番号に基づいて、固定電話網および携帯電話網の何れかにこの接続要求メッセージを中継する。
【０００６】
例えば、本発明は、携帯電話基地局を収容する構内交換機であって、
自構内交換機が収容する前記携帯電話基地局に接続するための基地局接続手段と、
固定電話網に接続するための固定電話網接続手段と、
携帯電話網側の前記携帯電話基地局を介さずに当該携帯電話網に接続するための携帯電話網接続手段と、
前記基地局接続手段、前記固定電話網接続手段、および前記携帯電話網接続手段間でデータを中継するデータ中継手段と、
携帯端末から、自構内交換機が収容する前記携帯電話基地局を介して前記基地局接続手段に到着した接続要求メッセージの接続先番号に基づいて、前記基地局接続手段、前記固定電話網接続手段、および前記携帯電話網接続手段の何れかを中継先の接続手段に選定し、当該接続要求メッセージが、当該選定された中継先の接続手段へ中継されるように、前記データ中継手段を制御する発信制御手段と、を有する。
【発明の効果】
【０００７】
本発明によれば、自営網内の携帯端末から送信された接続要求メッセージの中継先の網を、この接続要求メッセージの接続先番号に応じて切り替えることができる。このため、通話相手に応じて（携帯端末か固定端末か）、通話料金のより安い方の電話網を利用することが可能となる。
【発明を実施するための最良の形態】
【０００８】
以下、本発明の実施の形態について説明する。
【０００９】
図１は、本発明の一実施の形態に係るＰＢＸ（Ｐｒｉｖａｔｅ  Ｂｒａｎｃｈ  Ｅｘｃｈａｎｇｅ）を含むＦＭＣシステムの概略図である。
【００１０】
図示するように、本実施の形態のＰＢＸ１は、少なくとも一台の内線端末２と、フェムトセル等の携帯電話基地局３と、を収容する。そして、これらの装置２、３を固定電話網７および携帯電話網５に接続する。
【００１１】
具体的には、ＰＢＸ１は、内線端末２あるいは携帯電話基地局３の配下のＦＭＣ対応の携帯端末４から受信した接続要求メッセージを、この接続要求メッセージの接続先番号に基づいて、内線端末２、携帯電話基地局３、固定電話網７、および携帯電話網５の何れかに中継する。また、携帯電話網５あるいは固定電話網７から受信した接続要求メッセージを、この接続要求メッセージの接続先番号に基づいて、内線端末２および携帯電話基地局３の何れかに中継する。
【００１２】
また、ＰＢＸ１は、携帯電話基地局３の配下にあるＦＭＣ対応の携帯端末４から受信した位置登録要求メッセージおよび登録解除要求メッセージを携帯電話網５内のＨＬＲ（Ｈｏｍｅ  Ｌｏｃａｔｉｏｎ  Ｒｅｇｉｓｔｅｒ）６に送信する。また、この位置登録要求メッセージ、登録解除要求メッセージに基づいて、携帯電話基地局３の配下にある携帯端末４の収容を制御・管理する。
【００１３】
図２は、ＰＢＸ１の概略構成図である。
【００１４】
図示するように、ＰＢＸ１は、固定電話網ＩＦ部１０１と、携帯電話網ＩＦ部１０２と、内線端末ＩＦ部１０３と、基地局ＩＦ部１０４と、データ中継部１０５と、内線管理データ記憶部１０６と、内線管理部１０７と、発信制御部１０８と、着信制御部１０９と、データ変換部１１０と、を有する。
【００１５】
固定電話網ＩＦ部１０１は、固定電話網７に接続するためのインターフェースである。
【００１６】
携帯電話網ＩＦ部１０２は、携帯電話網５に接続するためのインターフェースである。
【００１７】
内線端末ＩＦ部１０３は、内線端末２を接続するためのインターフェースである。
【００１８】
基地局ＩＦ部１０４は、携帯電話基地局３を接続するためのインターフェースである。
【００１９】
データ中継部１０５は、発信制御部１０８および着信制御部１０９の指示に従い、固定電話網ＩＦ部１０１、携帯電話網ＩＦ部１０２、内線端末ＩＦ部１０３、および基地局ＩＦ部１０４へデータを中継する。
【００２０】
内線管理データ記憶部１０６は、自ＰＢＸ１が収容する端末のデータを記憶する。
【００２１】
図３は、内線管理データ記憶部１０６の登録内容を模式的に表した図である。
【００２２】
図示するように、内線管理データ記憶部１０６には、収容する端末毎にレコード１０６０が記憶される。レコード１０６０は、端末の内線番号を登録するフィールド１０６１と、この端末の種別（内線端末２か、それとも携帯電話基地局３の配下の携帯端末４か）を登録するフィールド１０６２と、転送設定の有効・無効を登録するフィールド１０６３と、転送設定が「有効」に設定されている場合に、転送先の電話番号を登録するフィールド１０６４と、レコード１０６０の登録・更新日時を登録するフィールド１０６５と、を有する。なお、図３に示すように、本実施の形態では、携帯電話網５を用いた電話サービスのために携帯端末４に割り当てられた携帯電話番号が、そのまま、この携帯端末４の内線番号として利用される。
【００２３】
内線管理部１０７は、基地局ＩＦ部１０４を介して携帯電話基地局３の配下にあるＦＭＣ対応の携帯端末４から受信した位置登録要求メッセージを、携帯電話網ＩＦ部１０２を介して携帯電話網５内のＨＬＲ６に送信する。また、内線管理部１０７は、この位置登録要求メッセージに基づいて、携帯電話基地局３の配下にある携帯端末４を認識し、内線管理データ記憶部１０６に、この携帯端末４のレコード１０６０を登録・更新する。
【００２４】
また、内線管理部１０７は、基地局ＩＦ部１０４を介して携帯電話基地局３の配下にあるＦＭＣ対応の携帯端末４から受信した登録解除要求メッセージを、携帯電話網ＩＦ部１０２を介して携帯電話網５内のＨＬＲ６に送信する。また、内線管理部１０７は、この登録解除要求メッセージに基づいて、携帯電話基地局３の配下からの携帯端末４の離脱を認識し、この携帯端末４のレコード１０６０を内線管理データ記憶部１０６から削除する。
【００２５】
また、内線管理部１０７は、内線管理データ記憶部１０６に記憶されている端末種別「携帯端末」の各レコード１０６０の更新日時を監視する。そして、更新日時から所定時間を経過しているレコード１０６０に対応する携帯端末４を、携帯電話基地局３の配下から離脱したものと認識し、このレコード１０６０を内線管理データ記憶部１０６から削除する。
【００２６】
発信制御部１０８は、内線端末ＩＦ部１０３あるいは基地局ＩＦ部１０４に接続要求メッセージが到着した場合に、この接続要求メッセージの接続先番号に基づいて、固定電話網ＩＦ部１０１、携帯電話網ＩＦ部１０２、内線端末ＩＦ部１０３、および基地局ＩＦ部１０４の何れかを中継先のＩＦ部に選定し、この接続要求メッセージが中継先のＩＦ部へ中継されるように、データ中継部１０５を制御する。
【００２７】
具体的には、接続要求メッセージの接続先番号が内線番号として内線管理データ記憶部１０６に記憶されている場合、この接続先番号に対応付けられて端末種別「内線端末」が内線管理データ記憶部１０６に記憶されているならば、この接続要求メッセージが内線端末ＩＦ部１０３に中継されるようにデータ中継部１０５を制御し、この接続先番号に対応付けられて端末種別「携帯端末」が内線管理データ記憶部１０６に記憶されているならば、この接続要求メッセージが基地局ＩＦ部１０４に中継されるようにデータ中継部１０５を制御する。但し、この接続先番号に対応付けられて転送設定「有効」が内線管理データ記憶部１０６に記憶されているならば、この接続先番号に対応付けられて内線管理データ記憶部１０６に記憶されている転送先番号へ、この接続要求メッセージを転送する。
【００２８】
また、接続要求メッセージの接続先番号が内線番号として内線管理データ記憶部１０６に記憶されていない場合、この接続先番号が携帯電話番号体系の電話番号（例えば０９０、０８０で始まる電話番号）であるならば、この接続要求メッセージが携帯電話網ＩＦ部１０２に中継されるようにデータ中継部１０５を制御し、この接続先番号が携帯電話番号体系の電話番号以外の電話番号であるならば、この接続要求メッセージが固定電話網ＩＦ部１０１に中継されるようにデータ中継部１０５を制御する。
【００２９】
また、発信制御部１０８は、内線端末ＩＦ部１０３に到着した接続要求メッセージを固定電話網ＩＦ部１０１あるいは携帯電話網ＩＦ部１０２へ送信する場合、この接続要求メッセージの接続元番号を、自ＰＢＸ１に付与された電話番号に変更する。一方、基地局ＩＦ部１０４に到着した接続要求メッセージを固定電話網ＩＦ部１０１あるいは携帯電話網ＩＦ部１０２へ送信する場合は、この接続要求メッセージの接続元番号を、自ＰＢＸ１の電話番号に変更することなく携帯端末４の携帯電話番号のままとする。
【００３０】
着信制御部１０９は、固定電話網ＩＦ部１０１あるいは携帯電話網ＩＦ部１０２に接続要求メッセージが到着した場合に、この接続要求メッセージの接続先番号に基づいて、内線端末ＩＦ部１０３あるいは基地局ＩＦ部１０４を中継先のＩＦ部に選定し、この接続要求メッセージが中継先のＩＦ部へ中継されるように、データ中継部１０５を制御する。
【００３１】
具体的には、接続要求メッセージの接続先番号が、自ＰＢＸ１に付与された電話番号であるならば、この接続要求メッセージが内線端末ＩＦ部１０３に中継されるように、データ中継部１０５を制御する。但し、この接続先番号にダイヤルイン番号が付加されており、このダイヤルイン番号に対応付けられて転送設定「有効」が内線管理データ記憶部１０６に記憶されているならば、このダイヤルイン番号に対応付けられて内線管理データ記憶部１０６に記憶されている転送先番号へ、この接続要求メッセージを転送する。
【００３２】
また、接続要求メッセージの接続先番号が、端末種別「携帯端末」の内線番号として内線管理データ記憶部１０６に記憶されているならば、この接続要求メッセージが基地局ＩＦ部１０４に中継されるように、データ中継部１０５を制御する。但し、この接続先番号に対応付けられて転送設定「有効」が内線管理データ記憶部１０６に記憶されているならば、この接続先番号に対応付けられて内線管理データ記憶部１０６に記憶されている転送先番号へ、この接続要求メッセージを転送する。
【００３３】
データ変換部１１０は、固定電話網ＩＦ部１０１あるいは内線端末ＩＦ部１０３に到着した通話データがデータ中継部１０５によって携帯電話網ＩＦ部１０２あるいは基地局ＩＦ部１０４に中継される場合に、この通話データを固定電話網用の通話データ（例えばＧ．７１１の音声符号化データ）から携帯電話網用の通話データ（例えばＧＳＭ−ＡＭＲの音声符号化データ）に変換する。また、携帯電話網ＩＦ部１０２あるいは基地局ＩＦ部１０４に到着した通話データがデータ中継部１０５によって固定電話網ＩＦ部１０１あるいは内線端末ＩＦ部１０３に中継される場合に、この通話データを携帯電話網用の通話データから固定電話網用の通話データに変換する。
【００３４】
図４は、ＰＢＸ１の動作を説明するためのフロー図である。
【００３５】
基地局ＩＦ部１０４は、携帯電話基地局３の配下の携帯端末４から位置登録要求メッセージを受信すると（Ｓ１０でＹＥＳ）、この位置登録要求メッセージを内線管理部１０７に通知する。これを受けて、内線管理部１０７は、携帯電話網ＩＦ部１０２を介して携帯電話網５内のＨＬＲ６に、この位置登録要求メッセージを送信する（Ｓ１１）。また、内線管理部１０７は、この位置登録要求メッセージに含まれている携帯電話番号をキーにして、内線管理データ記憶部１０６からレコード１０６０を検索する。
【００３６】
レコード１０６０を検索できた場合は、内線管理部１０７は、このレコード１０６０のフィールド１０６５に登録されている更新日時を現在日時に更新する。
【００３７】
一方、レコード１０６０を検索できなかった場合は、内線管理部１０７は、内線管理データ記憶部１０６に新たなレコード１０６０を追加して、この新たなレコード１０６０のフィールド１０６１に、この位置登録要求メッセージに含まれている携帯電話番号を登録する。また、このレコード１０６０のフィールド１０６２に端末種別「携帯端末」を登録し、フィールド１０６３に転送設定「無効」を登録し、そしてフィールド１０６５に現在日時を登録する（Ｓ１２）。
【００３８】
また、基地局ＩＦ部１０４は、携帯電話基地局３の配下の携帯端末４から登録解除要求メッセージを受信すると（Ｓ１３でＹＥＳ）、この登録解除要求メッセージを内線管理部１０７に通知する。これを受けて、内線管理部１０７は、携帯電話網ＩＦ部１０２を介して携帯電話網５内のＨＬＲ６に、この登録解除要求メッセージを送信する（Ｓ１４）。また、内線管理部１０７は、この登録解除要求メッセージに含まれている携帯電話番号をキーにして、内線管理データ記憶部１０６からレコード１０６０を検索し、検索したレコード１０６０を内線管理データ記憶部１０６から削除する（Ｓ１５）。
【００３９】
また、内線管理部１０７は、内線管理データ記憶部１０６に登録されている端末種別「携帯端末」の各レコード１０６０の更新日時を監視しており、更新日時から所定時間の経過によりタイムアウトしたレコード１０６０があるならば（Ｓ１６でＹＥＳ）、このレコード１０６０を内線管理データ記憶部１０６から削除する（Ｓ１７）。
【００４０】
また、内線端末ＩＦ部１０３は、内線端末２から転送設定要求メッセージを受信すると（Ｓ１８でＹＥＳ）、この転送設定要求メッセージを内線管理部１０７に通知する。同様に、基地局ＩＦ部１０４は、携帯電話基地局３の配下の携帯端末４から転送設定要求メッセージを受信すると（Ｓ１８でＹＥＳ）、この転送設定要求メッセージを内線管理部１０７に通知する。
【００４１】
これを受けて、内線管理部１０７は、この転送設定要求メッセージの発信元番号をキーにして内線管理データ記憶部１０６からレコード１０６０を検索する。そして、この転送設定要求メッセージで指定されている転送設定が「有効」であるならば、このレコード１０６０のフィールド１０６３に登録されている転送設定を「有効」に更新するとともに、このレコード１０６０のフィールド１０６４に、この転送設定要求メッセージで指定されている転送先番号を登録する。一方、この転送設定要求メッセージで指定されている転送設定が「無効」であるならば、このレコード１０６０のフィールド１０６３に登録されている転送設定を「無効」に更新する（Ｓ１９）。
【００４２】
また、内線端末ＩＦ部１０３あるいは基地局ＩＦ部１０４に接続要求メッセージが到着すると（Ｓ２０でＹＥＳ、Ｓ２１で「内線端末ＩＦ部、基地局ＩＦ部」）、発信制御部１０８は、後述する発信処理を実施する（Ｓ２２）。また、固定電話網ＩＦ部１０１あるいは携帯電話網ＩＦ部１０２に接続要求メッセージが到着すると（Ｓ２０でＹＥＳ、Ｓ２１で「固定電話網ＩＦ部、携帯電話網ＩＦ部」）、着信制御部１０９は、後述する着信処理を実施する（Ｓ２５）。
【００４３】
図５は、図４のＳ２２（発信処理）を説明するためのフロー図である。
【００４４】
発信制御部１０８は、接続要求メッセージが内線端末ＩＦ部１０３に到着したならば（Ｓ２２１で「内線端末ＩＦ部」）、Ｓ２２２に進み、基地局ＩＦ部１０４に到着したならば（Ｓ２２１で「基地局ＩＦ部」）、Ｓ２３２に進む。
【００４５】
Ｓ２２２において、発信制御部１０８は、この接続要求メッセージの接続先番号に基づいて、中継先のＩＦ部を設定する。
【００４６】
具体的には、接続要求メッセージの接続先番号が内線番号としてフィールド１０６１に登録されているレコード１０６０を内線管理データ記憶部１０６から検索する。
【００４７】
このようなレコード１０６０を検索できなかった場合、接続要求メッセージの接続先番号が携帯電話番号体系の電話番号（例えば０９０、０８０で始まる電話番号）であるならば（Ｓ２２２で「携帯電話網ＩＦ部」）、携帯電話網ＩＦ部１０２を中継先のＩＦ部に設定してＳ２２５に進み、携帯電話番号体系の電話番号以外の電話番号であるならば（Ｓ２２２で「固定電話網ＩＦ部」）、固定電話網ＩＦ部１０１を中継先のＩＦ部に設定してＳ２２３に進む。
【００４８】
一方、このようなレコード１０６０を検索できた場合、このレコード１０６０のフィールド１０６２に登録されている端末種別が「内線端末」であるならば（Ｓ２２２で「内線端末ＩＦ部」）、内線端末ＩＦ部１０３を中継先のＩＦ部に設定してＳ２２７に進み、端末種別が「携帯端末」であるならば（Ｓ２２２で「基地局ＩＦ部」）、基地局ＩＦ部１０４を中継先のＩＦ部に選定してＳ２２９に進む。
【００４９】
Ｓ２２３において、発信制御部１０８は、接続要求メッセージの接続元番号を、内線端末２の内線番号から、自ＰＢＸ１に付与されている電話番号に変更する。それから、発信制御部１０８は、この接続要求メッセージが、中継先のＩＦ部に設定されている固定電話網ＩＦ部１０１から送信されるように、データ中継部１０５を制御する（Ｓ２２４）。
【００５０】
Ｓ２２５において、発信制御部１０８は、接続要求メッセージの接続元番号を、内線端末２の内線番号から、自ＰＢＸ１に付与されている電話番号に変更する。それから、発信制御部１０８は、この接続要求メッセージが、中継先のＩＦ部に設定されている携帯電話網ＩＦ部１０２から送信されるように、データ中継部１０５を制御する（Ｓ２２６）。
【００５１】
Ｓ２２７において、発信制御部１０８は、Ｓ２２２で検索したレコード１０６０のフィールド１０６３に登録されている転送設定が「無効」であるか否かを調べる。転送設定が「無効」である場合（Ｓ２２７でＹＥＳ）、発信制御部１０８は、この接続要求メッセージが、中継先のＩＦ部に設定されている内線端末ＩＦ部１０３から送信されるように、データ中継部１０５を制御する（Ｓ２２８）。一方、転送設定が「有効」である場合（Ｓ２２７でＮＯ）、発信制御部１０８は、この接続要求メッセージの接続元番号を、内線端末２の内線番号から、自ＰＢＸ１に付与されている電話番号に変更するとともに、接続要求メッセージの接続先番号を、このレコード１０６０のフィールド１０６４に登録されている転送先番号に変更する。そして、転送先番号が携帯電話番号体系の電話番号であるならば、この接続要求メッセージを携帯電話網ＩＦ部１０２から送信し、携帯電話番号体系の電話番号以外の電話番号であるならば、この接続要求メッセージを固定電話網ＩＦ部１０１から送信するように、データ中継部１０５を制御する（Ｓ２３１）。
【００５２】
Ｓ２２９において、発信制御部１０８は、Ｓ２０２で検索したレコード１０６０のフィールド１０６３に登録されている転送設定が「無効」であるか否かを調べる。転送設定が「無効」である場合（Ｓ２２９でＹＥＳ）、発信制御部１０８は、この接続要求メッセージが、中継先のＩＦ部に設定されている基地局ＩＦ部１０４から送信されるように、データ中継部１０５を制御する（Ｓ２３０）。一方、転送設定が「有効」である場合（Ｓ２２９でＮＯ）、発信制御部１０８は、この接続要求メッセージの接続元番号を、内線端末２の内線番号から、自ＰＢＸ１に付与されている電話番号に変更するとともに、接続要求メッセージの接続先番号を、このレコード１０６０のフィールド１０６４に登録されている転送先番号に変更する。そして、転送先番号が携帯電話番号体系の電話番号であるならば、この接続要求メッセージを携帯電話網ＩＦ部１０２から送信し、携帯電話番号体系の電話番号以外の電話番号であるならば、この接続要求メッセージを固定電話網ＩＦ部１０１から送信するように、データ中継部１０５を制御する（Ｓ２３１）。
【００５３】
また、Ｓ２３２において、発信制御部１０８は、この接続要求メッセージの接続先番号に基づいて、中継先のＩＦ部を設定する。
【００５４】
具体的には、接続要求メッセージの接続先番号が内線番号としてフィールド１０６１に登録されているレコード１０６０を内線管理データ記憶部１０６から検索する。
【００５５】
このようなレコード１０６０を検索できなかった場合、発信制御部１０８は、接続要求メッセージの接続先番号が携帯電話番号体系の電話番号であるならば（Ｓ２３２で「携帯電話網ＩＦ部」）、携帯電話網ＩＦ部１０２を中継先のＩＦ部に設定してＳ２３４に進み、携帯電話番号体系の電話番号以外の電話番号であるならば（Ｓ２３２で「固定電話網ＩＦ部」）、固定電話網ＩＦ部１０１を中継先のＩＦ部に設定してＳ２３３に進む。
【００５６】
一方、このようなレコード１０６０を検索できた場合、発信制御部１０８は、このレコード１０６０のフィールド１０６２に登録されている端末種別が「内線端末」であるならば（Ｓ２３２で「内線端末ＩＦ部」）、内線端末ＩＦ部１０３を中継先のＩＦ部に設定してＳ２３５に進み、端末種別が「携帯端末」であるならば（Ｓ２３２で「基地局ＩＦ部」）、基地局ＩＦ部１０４を中継先のＩＦ部に選定してＳ２３７に進む。
【００５７】
Ｓ２３３において、発信制御部１０８は、接続要求メッセージの接続元番号を、自ＰＢＸ１に付与されている電話番号に変更することなく携帯電話番号のままとする。そして、この接続要求メッセージが、中継先のＩＦ部に設定されている固定電話網ＩＦ部１０１から送信されるように、データ中継部１０５を制御する。
【００５８】
Ｓ２３４において、発信制御部１０８は、接続要求メッセージの接続元番号を、自ＰＢＸ１に付与されている電話番号に変更することなく携帯電話番号のままとする。そして、この接続要求メッセージが、中継先のＩＦ部に設定されている携帯電話網ＩＦ部１０２から送信されるように、データ中継部１０５を制御する。
【００５９】
Ｓ２３５において、発信制御部１０８は、Ｓ２３２で検索したレコード１０６０のフィールド１０６３に登録されている転送設定が「無効」であるか否かを調べる。転送設定が「無効」である場合（Ｓ２３５でＹＥＳ）、発信制御部１０８は、この接続要求メッセージが、中継先のＩＦ部に設定されている内線端末ＩＦ部１０３から送信されるように、データ中継部１０５を制御する（Ｓ２３６）。一方、転送設定が「有効」である場合（Ｓ２３５でＮＯ）、発信制御部１０８は、この接続要求メッセージの接続元番号を、自ＰＢＸ１に付与されている電話番号に変更することなく携帯電話番号のままとし、この接続要求メッセージの接続先番号を、このレコード１０６０のフィールド１０６４に登録されている転送先番号に変更する。そして、発信制御部１０８は、転送先番号が携帯電話番号体系の電話番号であるならば、この接続要求メッセージを携帯電話網ＩＦ部１０２から送信し、携帯電話番号体系の電話番号以外の電話番号であるならば、この接続要求メッセージを固定電話網ＩＦ部１０１から送信するように、データ中継部１０５を制御する（Ｓ２３９）。
【００６０】
Ｓ２３７において、発信制御部１０８は、Ｓ２３２で検索したレコード１０６０のフィールド１０６３に登録されている転送設定が「無効」であるか否かを調べる。転送設定が「無効」である場合（Ｓ２３７でＹＥＳ）、発信制御部１０８は、この接続要求メッセージが、中継先のＩＦ部に設定されている基地局ＩＦ部１０４から送信されるように、データ中継部１０５を制御する（Ｓ２３８）。一方、転送設定が「有効」である場合（Ｓ２３７でＮＯ）、発信制御部１０８は、この接続要求メッセージの接続元番号を、自ＰＢＸ１に付与されている電話番号に変更することなく携帯電話番号のままとし、この接続要求メッセージの接続先番号を、このレコード１０６０のフィールド１０６４に登録されている転送先番号に変更する。そして、発信制御部１０８は、転送先番号が携帯電話番号体系の電話番号であるならば、この接続要求メッセージを携帯電話網ＩＦ部１０２から送信し、携帯電話番号体系の電話番号以外の電話番号であるならば、この接続要求メッセージを固定電話網ＩＦ部１０１から送信するように、データ中継部１０５を制御する（Ｓ２３９）。
【００６１】
さて、発信制御部１０８は、以上のようにして接続要求メッセージを送信したならば、通話相手との間に呼を確立するための接続制御手順を実施する（Ｓ２４０）。
【００６２】
これにより、接続要求メッセージの接続元端末と接続先端末との間に呼が確立され、この呼を介して通話データがやり取りされる。なお、データ中継部１０５が、内線端末ＩＦ部１０３に到着した通話データを携帯電話網ＩＦ部１０２あるいは基地局ＩＦ部１０４に中継する場合、この通話データは、データ変換部１１０により固定電話網用の通話データから携帯電話網用の通話データに変換される。また、データ中継部１０５が基地局ＩＦ部１０４に到着した通話データを固定電話網ＩＦ部１０１あるいは内線端末ＩＦ部１０３に中継する場合、この通話データは、データ変換部１１０により携帯電話網用の通話データから固定電話網用の通話データに変換される。
【００６３】
図６は、図４のＳ２５（着信処理）を説明するためのフロー図である。
【００６４】
着信制御部１０９は、接続要求メッセージが固定電話網ＩＦ部１０１あるいは携帯電話網ＩＦ部１０２に到着したならば、この接続要求メッセージの接続先番号に基づいて、中継先のＩＦ部を設定する（Ｓ２５１）。
【００６５】
具体的には、接続要求メッセージの接続先番号が、自ＰＢＸ１に付与されている電話番号であるならば（Ｓ２５１で「内線端末ＩＦ部」）、内線端末ＩＦ部１０３を中継先のＩＦ部に設定して、Ｓ２５２に進む。一方、フィールド１０６２の端末種別が「携帯端末」であり、且つ接続要求メッセージの接続先番号が内線番号としてフィールド１０６１に登録されているレコード１０６０が内線管理データ記憶部１０６に記憶されているならば（Ｓ２５１で基地局ＩＦ部）、基地局ＩＦ部１０４を中継先のＩＦ部に設定して、Ｓ２５５に進む。
【００６６】
Ｓ２５２において、着信制御部１０９は、接続要求メッセージの接続先番号にダイヤルイン番号が付加されているか否かを調べる。
【００６７】
ダイヤルイン番号が付加されていない場合（Ｓ２５２でＮＯ）、着信制御部１０９は、この接続要求メッセージが、中継先のＩＦ部に設定されている内線端末ＩＦ部１０３から送信されるように、データ中継部１０５を制御する（Ｓ２５４）。
【００６８】
一方、ダイヤルイン番号が付加されている場合（Ｓ２５２でＹＥＳ）、着信制御部１０９は、フィールド１０６２の端末種別が「内線端末」であり、且つこのダイヤルイン番号が内線番号としてフィールド１０６１に登録されているレコード１０６０を内線管理データ記憶部１０６から検索する。そして、検索したレコード１０６０のフィールド１０６３に登録されている転送設定が「無効」であるか否かを調べる（Ｓ２５３）。転送設定が「無効」である場合（Ｓ２５３でＹＥＳ）、着信制御部１０９は、この接続要求メッセージが、中継先のＩＦ部に設定されている内線端末ＩＦ部１０３から送信されるように、データ中継部１０５を制御する（Ｓ２５４）。一方、転送設定が「有効」である場合（Ｓ２５３でＮＯ）、着信制御部１０９は、この接続要求メッセージの接続先番号を、このレコード１０６０のフィールド１０６４に登録されている転送先番号に変更する。そして、転送先番号が携帯電話番号体系の電話番号であるならば、この接続要求メッセージを携帯電話網ＩＦ部１０２から送信し、携帯電話番号体系の電話番号以外の電話番号であるならば、この接続要求メッセージを固定電話網ＩＦ部１０１から送信するように、データ中継部１０５を制御する（Ｓ２５７）。
【００６９】
また、Ｓ２５５において、着信制御部１０９は、Ｓ２５１で検索したレコード１０６０（フィールド１０６２の端末種別が「携帯端末」であり、且つ接続要求メッセージの接続先番号が内線番号としてフィールド１０６１に登録されているレコード１０６０）のフィールド１０６３に登録されている転送設定が「無効」であるか否かを調べる。転送設定が「無効」である場合（Ｓ２５５でＹＥＳ）、着信制御部１０９は、この接続要求メッセージが、中継先のＩＦ部に設定されている基地局ＩＦ部１０４から送信されるように、データ中継部１０５を制御する（Ｓ２５６）。一方、転送設定が「有効」である場合（Ｓ２５５でＮＯ）、着信制御部１０９は、この接続要求メッセージの接続先番号を、このレコード１０６０のフィールド１０６４に登録されている転送先番号に変更する。そして、転送先番号が携帯電話番号体系の電話番号であるならば、この接続要求メッセージを携帯電話網ＩＦ部１０２から送信し、携帯電話番号体系の電話番号以外の電話番号であるならば、この接続要求メッセージを固定電話網ＩＦ部１０１から送信するように、データ中継部１０５を制御する（Ｓ２５７）。
【００７０】
さて、着信制御部１０９は、以上のようにして接続要求メッセージを送信したならば、通話相手との間に呼を確立するための接続制御手順を実施する（Ｓ２５８）。
【００７１】
これにより、接続要求メッセージの接続元端末と接続先端末との間に呼が確立され、この呼を介して通話データがやり取りされる。なお、データ中継部１０５が、固定電話網ＩＦ部１０１に到着した通話データを基地局ＩＦ部１０４に中継する場合、この通話データは、データ変換部１１０により固定電話網用の通話データから携帯電話網用の通話データに変換される。また、データ中継部１０５が、携帯電話網ＩＦ部１０２に到着した通話データを内線端末ＩＦ部１０３に中継する場合、この通話データは、データ変換部１１０により携帯電話網用の通話データから固定電話網用の通話データに変換される。
【００７２】
次に、本実施の形態に係るＰＢＸを含むＦＭＣシステムの動作例を説明する。
【００７３】
先ず、ＰＢＸ１が携帯電話基地局３の配下の携帯端末４を収容する場合の動作（携帯端末収容動作と呼ぶ）の一例を説明する。
【００７４】
図７は、図１に示すＦＭＣシステムの携帯端末収容動作の一例を説明するためのシーケンス図である。
【００７５】
携帯端末４は、携帯電話基地局３から送信されるビーコン等に基づいて、この携帯電話基地局３のエリア内に進入したことを認識すると（Ｓ３０１）、この携帯電話基地局３を帰属先に設定する（Ｓ３０２）。また、ＨＬＲ６に対して、この携帯電話基地局３への位置登録要求メッセージを送信する。この位置登録要求メッセージは、携帯電話基地局３およびＰＢＸ１を経由して、携帯電話網５内のＨＬＲ６に到達する（Ｓ３０３〜Ｓ３０５）。ＰＢＸ１は、この位置登録要求メッセージの送信元の携帯端末４に関するレコード１０６０を内線管理データ記憶部１０６に追加して、この携帯端末４の収容を開始する（Ｓ３０６）。
【００７６】
その後、携帯端末４は、携帯電話基地局３のエリア内にいる間、ＨＬＲ６に対して位置登録要求メッセージを定期的に送信する。この位置登録要求メッセージは、携帯電話基地局３およびＰＢＸ１を経由して、携帯電話網５内のＨＬＲ６に到達する（Ｓ３０７〜Ｓ３０８）。ＰＢＸ１は、位置登録要求メッセージを受信する毎に、位置登録要求メッセージの送信元の携帯端末４に関するレコード１０６０の更新日時を更新して、この携帯端末４の収容を継続する（Ｓ３１０）。
【００７７】
さて、携帯端末４は、携帯電話基地局３から送信されるビーコン等に基づいて、この携帯電話基地局３のエリアから離脱したことを認識すると（Ｓ３１１）、この携帯電話基地局３を帰属先から解除する（Ｓ３１２）。また、ＨＬＲ６に対して、この携帯電話基地局３からの登録解除要求メッセージを送信する。この登録解除要求メッセージは、携帯電話基地局３およびＰＢＸ１を経由して、携帯電話網５内のＨＬＲ６に到達する（Ｓ３１３〜Ｓ３１５）。ＰＢＸ１は、この登録解除要求メッセージの送信元の携帯端末４に関するレコード１０６０を内線管理データ記憶部１０６から削除して、この携帯端末４の収容を終了する（Ｓ３１６）。
【００７８】
次に、携帯電話基地局３の配下の携帯端末４が内線端末２と電話する場合の動作（携帯端末発信動作Ａと呼ぶ）の一例を説明する。
【００７９】
図８（Ａ）は、図１に示すＦＭＣシステムの携帯端末発信動作Ａの一例を説明するためのシーケンス図である。
【００８０】
携帯端末４は、ユーザから内線端末２の電話番号（内線番号）とともに発信指示を受け付けると、この電話番号を接続先番号とする接続要求メッセージを送信する（Ｓ３２１）。この接続要求メッセージは、携帯電話基地局３を経由してＰＢＸ１に到達する（Ｓ３２２）。
【００８１】
ＰＢＸ１は、この接続要求メッセージの接続先番号に基づいて、接続先が内線端末２であることを認識する（Ｓ３２３）。そして、この内線端末２への着信に対する転送設定が「無効」に設定されていることを確認して、この接続要求メッセージを内線端末２へ送信する（Ｓ３２４）。
【００８２】
内線端末２は、ＰＢＸ１から接続要求メッセージを受信すると、着信音を出力するなどして、ユーザにその旨を知らせる。そして、ユーザによりオフフックされたならば、接続応答メッセージを返信する。この接続応答メッセージは、ＰＢＸ１および携帯電話基地局３を介して携帯端末４に到着する（Ｓ３２５〜Ｓ３２７）。
【００８３】
これにより、携帯端末４および内線端末２間に呼が確立され、この呼を介して通話データがやり取りされる。ここで、携帯端末４およびＰＢＸ１間では、携帯電話網５用の符号化方式（例えばＧＳＭ−ＡＭＲ）で通話データがやり取りされ（Ｓ３２８）、内線端末２およびＰＢＸ１間では、固定電話網７用の符号化方式（例えばＧ．７１１）で通話データがやり取りされる（Ｓ３２９）。そして、ＰＢＸ１は、携帯電話基地局３経由で携帯端末４から受信した携帯電話網５用の符号化方式の通話データを、固定電話網７用の符号化方式の通話データに変換して、内線端末２に中継する。また、内線端末２から受信した固定電話網７用の符号化方式の通話データを、携帯電話網５用の符号化方式の通話データに変換して、携帯電話基地局３経由で携帯端末４に中継する（Ｓ３３０）。
【００８４】
次に、携帯電話基地局３の配下の携帯端末４が固定電話網７側の固定端末と電話する場合の動作（携帯端末発信動作Ｂと呼ぶ）の一例を説明する。
【００８５】
図８（Ｂ）は、図１に示すＦＭＣシステムの携帯端末発信動作Ｂの一例を説明するためのシーケンス図である。
【００８６】
携帯端末４は、ユーザから固定電話網７側の固定端末の電話番号（外線番号）とともに発信指示を受け付けると、この電話番号を接続先番号とする接続要求メッセージを送信する（Ｓ３４１）。この接続要求メッセージは、携帯電話基地局３を経由してＰＢＸ１に到達する（Ｓ３４２）。ＰＢＸ１は、この接続要求メッセージの接続先番号に基づいて、接続先が固定電話網７側の固定端末であることを認識する（Ｓ３４３）。そして、この接続要求メッセージを固定電話網７へ送信する（Ｓ３４４）。
【００８７】
次に、ＰＢＸ１は、固定電話網７から接続応答メッセージを受信すると（Ｓ３４５）、この接続応答メッセージを、携帯電話基地局３経由で携帯端末４に送信する（Ｓ３４６、Ｓ３４７）。
【００８８】
これにより、携帯端末４および固定電話網７側の固定端末間に呼が確立され、この呼を介して通話データがやり取りされる。ここで、携帯端末４およびＰＢＸ１間では、携帯電話網５用の符号化方式（例えばＧＳＭ−ＡＭＲ）で通話データがやり取りされ（Ｓ３４８）、固定電話網７側の固定端末およびＰＢＸ１間では、固定電話網７用の符号化方式（例えばＧ．７１１）で通話データがやり取りされる（Ｓ３４９）。そして、ＰＢＸ１は、携帯電話基地局３経由で携帯端末４から受信した携帯電話網５用の符号化方式の通話データを、固定電話網７用の符号化方式の通話データに変換して、固定電話網７に中継する。また、固定電話網７から受信した固定電話網７用の符号化方式の通話データを、携帯電話網５用の符号化方式の通話データに変換して、携帯電話基地局３経由で携帯端末４に中継する（Ｓ３５０）。
【００８９】
次に、携帯電話基地局３の配下の携帯端末４が携帯電話網５側の携帯端末と電話する場合の動作（携帯端末発信動作Ｃと呼ぶ）の一例を説明する。
【００９０】
図９（Ａ）は、図１に示すＦＭＣシステムの携帯端末発信動作Ｃの一例を説明するためのシーケンス図である。
【００９１】
携帯端末４は、ユーザから携帯電話網５側の携帯端末の電話番号（携帯電話番号）とともに発信指示を受け付けると、この電話番号を接続先番号とする接続要求メッセージを送信する（Ｓ３６１）。この接続要求メッセージは、携帯電話基地局３を経由してＰＢＸ１に到達する（Ｓ３６２）。ＰＢＸ１は、この接続要求メッセージの接続先番号に基づいて、接続先が携帯電話網５側の携帯端末であることを認識する（Ｓ３６３）。そして、この接続要求メッセージを携帯電話網５へ送信する（Ｓ３６４）。
【００９２】
次に、ＰＢＸ１は、携帯電話網５から接続応答メッセージを受信すると（Ｓ３６５）、この接続応答メッセージを、携帯電話基地局３経由で携帯端末４に送信する（Ｓ３６６、Ｓ３６７）。
【００９３】
これにより、携帯端末４および携帯電話網５側の携帯端末間に呼が確立され、この呼を介して通話データがやり取りされる。ここで、携帯端末４および携帯電話網５の携帯端末間では、携帯電話網５用の符号化方式（例えばＧＳＭ−ＡＭＲ）で通話データがやり取りされる（Ｓ３６８）。
【００９４】
次に、内線端末２が携帯電話基地局３の配下の携帯端末４と電話する場合の動作（携帯端末着信動作Ａと呼ぶ）の一例を説明する。
【００９５】
図９（Ｂ）は、図１に示すＦＭＣシステムの携帯端末着信動作Ａの一例を説明するためのシーケンス図である。
【００９６】
内線端末２は、ユーザから携帯電話基地局３の配下の携帯端末４の電話番号（携帯電話番号）とともに発信指示を受け付けると、この電話番号を接続先番号とする接続要求メッセージを送信する（Ｓ３８１）。この接続要求メッセージは、ＰＢＸ１に到達する（Ｓ３８２）。ＰＢＸ１は、この接続要求メッセージの接続先番号に基づいて、接続先が携帯電話基地局３の配下の携帯端末４であることを認識する（Ｓ３８２）。そして、この携帯端末４への着信に対する転送設定が「無効」に設定されていることを確認して、この接続要求メッセージを携帯電話基地局３経由で携帯端末４へ送信する（Ｓ３８３、Ｓ３８４）。
【００９７】
携帯端末４は、携帯電話基地局３経由でＰＢＸ１から接続要求メッセージを受信すると、着信音を出力するなどして、ユーザにその旨を知らせる。そして、ユーザによりオフフックされたならば、接続応答メッセージを返信する。この接続応答メッセージは、携帯電話基地局３およびＰＢＸ１を介して、内線端末２に到着する（Ｓ３８５〜Ｓ３８７）。
【００９８】
これにより、内線端末２および携帯端末４間に呼が確立され、この呼を介して通話データがやり取りされる。ここで、内線端末２およびＰＢＸ１間では、固定電話網７用の符号化方式（例えばＧ．７１１）で通話データがやり取りされ（Ｓ３８８）、携帯端末４およびＰＢＸ１間では、携帯電話網５用の符号化方式（例えばＧＳＭ−ＡＭＲ）で通話データがやり取りされる（Ｓ３８９）。そして、ＰＢＸ１は、内線端末２から受信した固定電話網７用の符号化方式の通話データを、携帯電話網５用の符号化方式の通話データに変換して、携帯電話基地局３経由で携帯端末４に中継する。また、携帯電話基地局３経由で携帯端末４から受信した携帯電話網５用の符号化方式の通話データを、固定電話網７用の符号化方式の通話データに変換して、内線端末２に中継する。（Ｓ３９０）。
【００９９】
次に、固定電話網７側の固定端末が携帯電話基地局３の配下の携帯端末４と電話する場合の動作（携帯端末着信動作Ｂと呼ぶ）の一例を説明する。
【０１００】
図１０（Ａ）は、図１に示すＦＭＣシステムの携帯端末着信動作Ｂの一例を説明するためのシーケンス図である。
【０１０１】
ＰＢＸ１は、固定電話網７から接続要求メッセージを受信すると（Ｓ４１１）。この接続要求メッセージの接続先番号に基づいて、接続先が携帯電話基地局３の配下の携帯端末４であることを認識する（Ｓ４１２）。そして、この携帯端末４への着信に対する転送設定が「無効」に設定されていることを確認して、この接続要求メッセージを、携帯電話基地局３経由で、この携帯端末４へ送信する（Ｓ４１３、Ｓ４１４）。
【０１０２】
携帯端末４は、携帯電話基地局３経由でＰＢＸ１から接続要求メッセージを受信すると、着信音を出力するなどして、ユーザにその旨を知らせる。そして、ユーザによりオフフックされたならば、接続応答メッセージを返信する。この接続応答メッセージは、携帯電話基地局３およびＰＢＸ１を介して、固定電話網７側の固定端末に到着する（Ｓ４１５〜Ｓ４１７）。
【０１０３】
これにより、固定電話網７側の固定端末および携帯端末４間に呼が確立され、この呼を介して通話データがやり取りされる。ここで、固定電話網７側の固定端末およびＰＢＸ１間では、固定電話網７用の符号化方式（例えばＧ．７１１）で通話データがやり取りされ（Ｓ４１８）、携帯端末４およびＰＢＸ１間では、携帯電話網５用の符号化方式（例えばＧＳＭ−ＡＭＲ）で通話データがやり取りされる（Ｓ４１９）。そして、ＰＢＸ１は、固定電話網７から受信した固定電話網７用の符号化方式の通話データを、携帯電話網５用の符号化方式の通話データに変換して、携帯電話基地局３経由で携帯端末４に中継する。また、携帯電話基地局３経由で携帯端末４から受信した携帯電話網５用の符号化方式の通話データを、固定電話網７用の符号化方式の通話データに変換して、固定電話網７に中継する。（Ｓ４２０）。
【０１０４】
次に、携帯電話網５側の携帯端末が携帯電話基地局３の配下の携帯端末４と電話する場合の動作（携帯端末着信動作Ｃと呼ぶ）の一例を説明する。
【０１０５】
図１０（Ｂ）は、図１に示すＦＭＣシステムの携帯端末着信動作Ｃの一例を説明するためのシーケンス図である。
【０１０６】
ＰＢＸ１は、携帯電話網５から接続要求メッセージを受信すると（Ｓ４４１）。この接続要求メッセージの接続先番号に基づいて、接続先が携帯電話基地局３の配下の携帯端末４であることを認識する（Ｓ４４２）。そして、この携帯端末４への着信に対する転送設定が「無効」に設定されていることを確認して、この接続要求メッセージを、携帯電話基地局３経由で、この携帯端末４へ送信する（Ｓ４４３、Ｓ４４４）。
【０１０７】
携帯端末４は、携帯電話基地局３経由でＰＢＸ１から接続要求メッセージを受信すると、着信音を出力するなどして、ユーザにその旨を知らせる。そして、ユーザによりオフフックされたならば、接続応答メッセージを返信する。この接続応答メッセージは、携帯電話基地局３およびＰＢＸ１を介して、携帯電話網５側の携帯端末に到着する（Ｓ４４５〜Ｓ４４７）。
【０１０８】
これにより、携帯電話網５側の携帯端末および携帯端末４間に呼が確立され、この呼を介して通話データがやり取りされる。ここで、携帯電話網５側の携帯端末および携帯端末４間では、携帯電話網５用の符号化方式（例えばＧＳＭ−ＡＭＲ）で通話データがやり取りされる（Ｓ４４８）。
【０１０９】
以上、本発明の一実施の形態を説明した。
【０１１０】
本実施の形態において、ＰＢＸ１は、携帯電話基地局３の配下の携帯端末４から接続要求メッセージを受信した場合に、この接続要求メッセージの接続先番号に基づいて、内線端末２、携帯電話基地局３、固定電話網７、および携帯電話網５の何れかに、この接続要求メッセージを中継する。具体的には、発信制御部１０８は、基地局ＩＦ部１０４に到着した接続要求メッセージの接続先番号が、携帯電話基地局３の配下の携帯端末４の携帯電話番号であるならば、この接続要求メッセージが基地局ＩＦ部１０４に中継されるように、データ中継部１０５を制御する。また、携帯電話基地局３の配下の携帯端末４の携帯電話番号以外の携帯電話番号であるならば、この接続要求メッセージが携帯電話網ＩＦ部１０２に中継されるように、データ中継部１０５を制御する。また、内線端末２の内線番号であるならば、この接続要求メッセージが内線端末ＩＦ部１０３に中継されるように、データ中継部１０５を制御する。また、携帯電話番号以外の外線番号であるならば、この接続要求メッセージが固定電話網ＩＦ部１０１に中継されるように、データ中継部１０５を制御する。
【０１１１】
したがって、本実施の形態によれば、携帯電話基地局３の配下の携帯端末４から送信された接続要求メッセージの中継先を、この接続要求メッセージの接続先番号に応じて切り替えることができる。このため、通話相手に応じて（携帯端末か固定端末か）、通話料金のより安い方の電話網を利用することが可能となる。
【０１１２】
また、本実施の形態において、ＰＢＸ１は、携帯電話基地局３の配下の携帯端末４から受信した接続要求メッセージの中継先が固定電話網７あるいは携帯電話網５であっても、この接続要求メッセージの接続元番号を自ＰＢＸ１の電話番号に変更することなく、この接続要求メッセージを中継先の網へ中継する。
【０１１３】
したがって、本実施の形態によれば、携帯電話基地局３の配下の携帯端末４をＰＢＸ１に収容させつつも、この携帯端末４が外線に発信する場合は、この携帯端末４へ課金することが可能となる。
【０１１４】
また、本実施の形態において、ＰＢＸ１は、固定電話網７あるいは携帯電話網５から接続要求メッセージを受信した場合に、この接続要求メッセージの接続先番号に基づいて、内線端末２および携帯電話基地局３の配下の携帯端末４の何れかに、この接続要求メッセージを中継する。具体的には、着信制御部１０９は、固定電話網ＩＦ部１０１あるいは携帯電話網ＩＦ部１０２に到着した接続要求メッセージの接続先番号が自ＰＢＸ１の電話番号であるならば、この接続要求メッセージが内線端末ＩＦ部１０３に中継されるように、データ中継部１０５を制御する。また、携帯電話基地局３の配下の携帯端末４の携帯電話番号であるならば、この接続要求メッセージが基地局ＩＦ部１０４に中継されるように、データ中継部１０５を制御する。
【０１１５】
したがって、本実施の形態によれば、携帯電話基地局３の配下の携帯端末４をＰＢＸ１に収容させつつも、この携帯端末４の携帯電話番号を接続先番号とする外線からの接続要求メッセージを、この携帯端末４へ着信させることが可能となる。
【０１１６】
また、本実施の形態において、ＰＢＸ１は、受信した接続要求メッセージの接続先が内線端末２あるいは携帯電話基地局３の配下の携帯端末４であり、且つこの接続先の端末２、４の転送設定が「有効」になっている場合、この接続要求メッセージを、この接続先の端末２、４に対応付けられて登録されている転送先の電話番号へ転送する。
【０１１７】
したがって、本実施の形態によれば、携帯電話基地局３の配下の携帯端末４をＰＢＸ１に収容させつつも、この携帯端末４の携帯電話番号を接続先番号とする外線からの接続要求メッセージを所望の電話番号へ転送させることが可能となる。
【０１１８】
また、本実施の形態において、ＰＢＸ１は、固定電話網７あるいは内線端末２から受信した固定電話網７用の符号化方式の通話データを、携帯電話網５用の符号化方式の通話データに変換して、携帯電話基地局３経由で携帯端末４に中継するとともに、携帯電話網５あるいは携帯電話基地局３経由で携帯端末４から受信した携帯電話網５用の符号化方式の通話データを、固定電話網７用の符号化方式の通話データに変換して、内線端末２に中継するので、異なる符号化方式を採用する端末間で電話をすることが可能となる。
【０１１９】
なお、本発明は上記の実施の形態に限定されるものではなく、その要旨の範囲内で数々の変形が可能である。
【０１２０】
例えば、上記の実施の形態において、ＰＢＸ１は、携帯電話基地局３の配下の携帯端末４から受信した接続要求メッセージを固定電話網７に送信する場合に、この接続要求メッセージの接続元番号を自ＰＢＸ１の電話番号に変更することなく、この携帯端末４の携帯電話番号のままとしている。しかし、本発明はこれに限定されない。接続要求メッセージの接続元番号を自ＰＢＸ１の電話番号に変更して、固定電話網７に送信するようにしてもよい。この場合、携帯端末４の携帯電話番号をダイヤルイン番号とすることで、固定電話網７からこの携帯端末４に着信させることが可能となる。
【０１２１】
また、上記の実施の形態において、図２に示すＰＢＸ１の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実行されるものでもよい。あるいは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、電話回線インターフェース等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【図面の簡単な説明】
【０１２２】
【図１】図１は、本発明の一実施の形態に係るＰＢＸ（Ｐｒｉｖａｔｅ  Ｂｒａｎｃｈ  Ｅｘｃｈａｎｇｅ）を含むＦＭＣシステムの概略図である。
【図２】図２は、ＰＢＸ１の概略構成図である。
【図３】図３は、内線管理データ記憶部１０６の登録内容を模式的に表した図である。
【図４】図４は、ＰＢＸ１の動作を説明するためのフロー図である。
【図５】図５は、図４のＳ２２（発信処理）を説明するためのフロー図である。
【図６】図６は、図４のＳ２５（着信処理）を説明するためのフロー図である。
【図７】図７は、図１に示すＦＭＣシステムの携帯端末収容動作の一例を説明するためのシーケンス図である。
【図８】図８（Ａ）は、図１に示すＦＭＣシステムの携帯端末発信動作Ａの一例を説明するためのシーケンス図であり、図８（Ｂ）は、図１に示すＦＭＣシステムの携帯端末発信動作Ｂの一例を説明するためのシーケンス図である。
【図９】図９（Ａ）は、図１に示すＦＭＣシステムの携帯端末発信動作Ｃの一例を説明するためのシーケンス図であり、図９（Ｂ）は、図１に示すＦＭＣシステムの携帯端末着信動作Ａの一例を説明するためのシーケンス図である。
【図１０】図１０（Ａ）は、図１に示すＦＭＣシステムの携帯端末着信動作Ｂの一例を説明するためのシーケンス図であり、図１０（Ｂ）は、図１に示すＦＭＣシステムの携帯端末着信動作Ｃの一例を説明するためのシーケンス図である。
【符号の説明】
【０１２３】
１：ＰＢＸ、２：内線端末、３：携帯電話基地局、４：携帯端末、５：携帯電話網、６：ＨＬＲ、７：固定電話網、１０１：固定電話網ＩＦ部、１０２：携帯電話網ＩＦ部、１０３：内線端末ＩＦ部、１０４：基地局ＩＦ部、１０５：データ中継部、１０６：内線管理データ記憶部、１０７：内線管理部、１０８：発信制御部、１０９：着信制御部、１１０：データ変換部
【図１】
0005163243.tif 000002
【図２】
0005163243.tif 000003
【図３】
0005163243.tif 000004
【図４】
0005163243.tif 000005
【図５】
0005163243.tif 000006
【図６】
0005163243.tif 000007
【図７】
0005163243.tif 000008
【図８】
0005163243.tif 000009
【図９】
0005163243.tif 000010
【図１０】
0005163243.tif 000011